(57)【要約】【課題】建物の解体現場などに搬入して使用できる安価な移動用ふるい装置を提供する。【解決手段】前脚となる車輪２ｂと固定後脚２ｃと取っ手２ｄを設けた運搬台２上に電動ふるい機３と発電機４とベルトコンベヤ５、６を設け、ベルトコンベヤ５、６は折り畳み、ターンテーブル７、８で旋回させて運搬台２上に収納可能となし、トラック等で運搬して移動先で車から降ろして使用できるふるい装置１を構成した。【選択図】　図１
2004066002.tif 000002
【特許請求の範囲】
【請求項１】
貨物車両の荷台に積み込み可能な台板に前脚となる車輪と固定後脚と取っ手を設けて運搬台を構成し、この運搬台上に電動ふるい機と、そのふるい機に駆動用の電力を供給する発電機を搭載して構成される移動用ふるい装置。
【請求項２】
折り畳み式の支持脚を備える長手方向に折り畳み可能なベルトコンベヤを複数基含ませ、さらに、運搬台に水平面内で回転させるターンテーブルをベルトコンベヤ数と同数設け、各ターンテーブル上に前記ベルトコンベヤの始端部を仰角調整可能に取り付けて折り畳んだベルトコンベヤを運搬台上に収納可能となし、それぞれのベルトコンベヤでふるいにかけた物を搬出するようにした請求項１記載の移動用ふるい装置。
【発明の詳細な説明】
【０００１】
【発明の属する技術分野】
この発明は、砕石や建築廃材などのふるい分けを行う移動用ふるい装置に関する。
【０００２】
【従来の技術】
砕石や建築廃材などのふるい分けを特定箇所に据えつけられたふるい機で行うと、ふるい分けをする物、した物の搬入、搬出が必要になり、無駄な作業が増える。
【０００３】
そこで、ふるい機を架装した特装車両が開発されている。この特装車両を用いれば、建物の解体現場などに出向いてその場でふるい分けを行える。
【０００４】
【発明が解決しようとする課題】
ふるい機を装備した特装車両は、ふるい機の価格に車両代が上乗せされるため、高価なものになる。また、特装車は荷物の運送など他の目的に利用することができず、車両の効率的な運用が望めない。
【０００５】
そこで、この発明は安価で運搬用貨物車両を独占しない移動用ふるい装置を提供することを課題としている。
【０００６】
【課題を解決するための手段】
上記の課題を解決するため、この発明においては、貨物車両の荷台に積み込み可能な台板に前脚となる車輪と固定後脚と取っ手を設けて運搬台を構成し、この運搬台上に電動ふるい機と、そのふるい機に駆動用の電力を供給する発電機を搭載して移動用ふるい装置を構成した。
【０００７】
この装置は、折り畳み式の支持脚を備える長手方向に折り畳み可能なベルトコンベヤを複数基含ませ、さらに、運搬台に水平面内で回転させるターンテーブルをベルトコンベヤ数と同数設け、各ターンテーブル上に前記ベルトコンベヤの始端部を仰角調整可能に取り付けて折り畳んだベルトコンベヤを運搬台上に収納可能となし、それぞれのベルトコンベヤでふるいにかけた物を搬出する構造にするとより好ましいものになる。
【０００８】
【作用】
この発明の装置は、運搬台を含ませてその運搬台に電動ふるい機を搭載したので、トラックなどの貨物車両に積んで任意の場所に移動させることができ、装置価格も車両代の上乗せが無くなって安価になる。
【０００９】
また、発電機を設けて駆動用の電力を自給するので、電源の無い所でも車から降ろして使用することができる。車に積んだまま使用することも可能であるが、車から降ろして使用すれば装置搬入後の車両を他の目的に利用でき、車両運用上の無駄も省ける。
【００１０】
ふるいにかけた物を搬出するベルトコンベヤを備えさせた装置は、ベルトコンベヤのセッティングと撤去を楽に迅速に行える。物の搬出をベルトコンベヤで行うことは一般になされることであるが、ベルトコンベヤを分解して運び、搬入先でいちいち組み立てる従来の方法ではコンベヤの分解、組み立てに手間と時間を費やす。
【００１１】
この発明で設けたベルトコンベヤはターンテーブルを回転させて方向を変え、折り畳まれているコンベヤと支持脚を広げるだけでセッティングが完了する。また、逆の手順でコンベヤを運搬台上に納めることができ、セッティングと撤去に要する手間と時間が少なくて済む。
【００１２】
【発明の実施の形態】
以下、この発明の実施形態を図１乃至図４に基づいて説明する。この移動用ふるい装置１は、運搬台２と、その運搬台上に設けた電動ふるい機３、発電機４及び２基のベルトコンベヤ５、６から成る。
【００１３】
運搬台２は、トラックの荷台に積み込み可能な台板２ａの下部に前脚となす車輪（図のそれはローラ）２ｂと、固定後脚２ｃを設け、さらに、台板２ａの後方に端壁を立設し、その端壁の上部に取っ手２ｄを設けて構成されている。
【００１４】
この運搬台２は、車輪２ｂと取っ手２ｄを有するので、積み降ろしがし易い。また、後脚を固定脚にしているため、装置運搬時、装置使用時の動き止めも安定してなされる。
【００１５】
この運搬台２上に電動ふるい機３を据えつけている。その電動ふるい機３は、ロールスクリーン式の市販のふるい機であり、ホッパ３ａから投入されたふるい対象物をロールスクリーン３ｂで細かい物と粗い物にふるい分けてシュータ３ｃ、３ｄから排出する。
【００１６】
発電機４は、ふるい機３とベルトコンベヤ５、６に駆動用の電力を供給する。この発電機４として、ここではエンジン式発電機を用いたが、近年脚光を浴びている燃料電池などを用いてもよい。
【００１７】
ベルトコンベヤ５は、ロールスクリーン３ｂの目を通り抜けてシュータ３ｃから投下される細かい物を受け取って搬出する。また、ベルトコンベヤ６はふるい落とされずにシュータ３ｄから流れ出てくる粗い物を受け取って搬出する。
【００１８】
このコンベヤ５、６は、運搬台２上に水平面内で回転するターンテーブル７、８を設け、そのターンテーブル７、８上に仰角調整が行えるように水平ピンを用いたピボット部９を設けて先端側を上下回動可能に結合させている。このコンベヤ５、６は、長手方向途中にヒンジ５ａ、６ａを有しており、その位置で屈折させて２つに折り畳むことができる。また、各コンベヤ５、６は、支持脚５ｂ、６ｂを有している。それ等の支持脚は上端を水平ピンで本体部のフレームにピボット結合させており（１０がピボット部）、サポート５ｃ、６ｃの下端の連結ピン１１を外すと上端のピボット部を支点にして支持脚とサポートを共に折り畳むことができる。
【００１９】
なお、支持脚５、６は、伸縮式の脚にすると、高さ調整が行える。
【００２０】
このように構成したふるい装置１は、支持脚５ｂ、６ｂを含めてコンベヤ５、６を折り畳み、ターンテーブル７、８を回転させて各コンベヤの向きを変えると、コンベヤ５、６が図２に鎖線で示すように運搬台２上にコンパクトに納まる。この状態で装置１をトラックに載せて目的地に搬入し、そこでベルトコンベヤ５、６を広げてふるい作業を実施する。その作業は、ふるい装置１をトラックから降ろして行うことができ、作業を終えて次に移動させるのまでの間、搬入に利用したトラックを遊ばせずに済む。トラックを他に使う予定がなければ、ふるい装置１をトラックに載せたままふるい作業を行ってもよい。
【００２１】
【発明の効果】
以上述べたように、この発明のふるい装置は、運搬台上にふるい機と発電機を設け、貨物車両で運搬するようにしたので、価格に車両代が上乗せされず、安価なものを提供できる。
【００２２】
また、車から降ろして使用できるので、搬入に使用した車両の運用効率を低下させることがない。
【００２３】
折り畳み式のベルトコンベヤを備えさせたものは、そのコンベヤのセッティング、撤去を手間と時間をかけずに行え、そのコンベヤを使ってふるい作業の高効率化を図ることができる。
【図面の簡単な説明】
【図１】実施形態の装置の概要を示す斜視図
【図２】同上の装置の側面図
【図３】同上の装置の平面図
【図４】同上の装置の正面図
【符号の説明】
１　移動用ふるい装置
２　運搬台
２ｂ　車輪
２ｃ　固定後脚
２ｄ　取っ手
３　電動ふるい機
３ａ　ホッパ
３ｂ　ロールスクリーン
３ｃ、３ｄ　シュータ
４　発電機
５、６　ベルトコンベヤ
５ａ、６ａ　ヒンジ
５ｂ、６ｂ　支持脚
５ｃ、６ｃ　サポート
７、８　ターンテーブル
９、１０　ピボット部
１１　連結ピン
【図１】
2004066002.tif 000003
【図２】
2004066002.tif 000004
【図３】
2004066002.tif 000005
【図４】
2004066002.tif 000006